【手続補正書】
【提出日】平成16年11月30日(2004.11.30)
【手続補正１】
【補正対象書類名】明細書
【補正対象項目名】請求項８
【補正方法】変更
【補正の内容】
【請求項８】
溶接負荷電圧をフィードバックした溶接電流を通電して溶接する溶接方法において、アーク発生中と短絡とを検出するアーク・短絡検出信号によって、パルス期間中の短絡フィードバック電圧設定信号とベース期間中の短絡フィードバック電圧設定信号とを切り換えた短絡フィードバック電圧設定信号と溶接電圧瞬時値検出信号とを切り換え、前記切り換えたアーク長フィードバック電圧切換信号を平滑したアーク電圧平均値信号とアーク電圧設定信号とを比較した設定・検出電圧比較信号に対応した次のピーク電流の通電を指令する周波数制御信号を入力して、前記パルス期間中の短絡フィードバック電圧設定信号と前記ベース期間中の短絡フィードバック電圧設定信号とを切り換えるパルス周波数・幅制御信号を出力すると共に、前記パルス周波数・幅制御信号が入力されている期間だけピーク電流値設定信号を通電し、パルス周波数・幅制御信号が停止されている期間はベース電流値設定信号を通電する溶接電流制御信号によって溶接電流を制御する消耗電極ガスシールドアーク溶接方法。
【手続補正２】
【補正対象書類名】明細書
【補正対象項目名】請求項９
【補正方法】変更
【補正の内容】
【請求項９】
溶接負荷電圧をフィードバックした溶接電流を通電して溶接する溶接装置において、溶接電圧瞬時値検出信号を入力してアーク・短絡検出信号によって、パルス期間中の短絡フィードバック電圧設定信号とベース期間中の短絡フィードバック電圧設定信号とを切り換えた短絡フィードバック電圧設定信号と溶接電圧瞬時値検出信号とを切り換えて、アーク長フィードバック電圧切換信号を出力するアーク長フィードバック電圧切換回路と、
アーク長フィードバック電圧切換信号を入力して平滑したアーク電圧平均値信号とアーク電圧設定信号とを比較した設定・検出電圧比較信号を入力して、次のピーク電流の通電を指令する周波数制御信号を出力する電圧・周波数変換回路とを備え、
ピーク通電時間設定信号及び周波数制御信号を入力して、パルス期間中の短絡フィードバック電圧設定信号とベース期間中の短絡フィードバック電圧設定信号とを切り換えるパルス周波数・幅制御信号を出力すると共に、このパルス周波数・幅制御信号が入力されている期間だけピーク電流値設定信号を通電し、パルス周波数・幅制御信号が停止されている期間はベース電流値設定信号を通電する溶接電流制御信号によって溶接電流を制御する溶接装置。
【手続補正３】
【補正対象書類名】明細書
【補正対象項目名】請求項１０
【補正方法】変更
【補正の内容】
【請求項１０】
溶接負荷電圧をフィードバックした溶接電流を通電して溶接する溶接装置において、溶接電圧瞬時値検出信号を入力してアーク・短絡検出信号を出力するアーク・短絡検出回路と、
パルス期間中の短絡フィードバック電圧設定信号とベース期間中の短絡フィードバック電圧設定信号とを切り換えて、短絡フィードバック電圧設定信号を出力する短絡フィードバック電圧切換回路と、
アーク・短絡検出信号によって、短絡フィードバック電圧設定信号と溶接電圧瞬時値検出信号Ｖｄとを切り換えて、アーク長フィードバック電圧切換信号を出力するアーク長フィードバック電圧切換回路と、
アーク長フィードバック電圧切換信号を入力して平滑したアーク電圧平均値信号とアーク電圧設定信号とを比較して設定・検出電圧比較信号を出力する設定・検出電圧比較回路と、
設定・検出電圧比較信号を入力して、次のピーク電流の通電を指令する周波数制御信号を出力する電圧・周波数変換回路と、
ピーク通電時間設定信号及び周波数制御信号を入力して、前記パルス期間中の短絡フィードバック電圧設定信号と前記ベース期間中の短絡フィードバック電圧設定信号とを切り換えるパルス周波数・幅制御信号を出力するパルス周波数・幅制御回路と、
前記パルス周波数・幅制御信号が入力されている期間だけピーク電流値設定信号を通電し、パルス周波数・幅制御信号が停止されている期間はベース電流値設定信号を通電するピーク・ベース電流値切換信号を出力するピーク・ベース電流値切換回路と、
溶接電流を検出して溶接電流検出信号を出力する溶接電流検出回路と、
前記溶接電流検出信号と前記ピーク・ベース電流値切換信号とを比較して溶接電流制御信号を出力する設定・検出電流比較回路とを備え、
前記溶接電流制御信号によって溶接電流を制御する溶接装置。
【手続補正４】
【補正対象書類名】明細書
【補正対象項目名】００３５
【補正方法】変更
【補正の内容】
【００３５】
請求項８の溶接方法は、溶接負荷電圧をフィードバックした溶接電流を通電して溶接する溶接方法において、アーク発生中と短絡とを検出するアーク・短絡検出信号Ｓｄによって、パルス期間中の短絡フィードバック電圧設定信号Ｖｃｐとベース期間中の短絡フィードバック電圧設定信号Ｖｃｂとを切り換えた短絡フィードバック電圧設定信号Ｓｗ２と溶接電圧瞬時値検出信号Ｖｄとを切り換え、この切り換えたアーク長フィードバック電圧切換信号Ｓｗ３を平滑したアーク電圧平均値信号Ｖｄａとアーク電圧設定信号Ｖｓとを比較した設定・検出電圧比較信号Ｃｍ２に対応した次のピーク電流Ｉｐの通電を指令する周波数制御信号Ｖｆを入力して、前述したパルス期間中の短絡フィードバック電圧設定信号Ｖｃｐと前述したベース期間中の短絡フィードバック電圧設定信号Ｖｃｂとを切り換えるパルス周波数・幅制御信号Ｄｆを出力すると共に、このパルス周波数・幅制御信号Ｄｆが入力されている期間だけピーク電流値設定信号Ｉｐｓを通電し、パルス周波数・幅制御信号Ｄｆが停止されている期間はベース電流値設定信号Ｉｂｓを通電する溶接電流制御信号Ｃｍ１によって溶接電流Ｉｗを制御する消耗電極ガスシールドアーク溶接方法である。
【手続補正５】
【補正対象書類名】明細書
【補正対象項目名】００３６
【補正方法】変更
【補正の内容】
【００３６】
請求項９の溶接装置は、溶接負荷電圧をフィードバックした溶接電流を通電して溶接する溶接装置において、溶接電圧瞬時値検出信号Ｖｄを入力してアーク・短絡検出信号Ｓｄによって、パルス期間中の短絡フィードバック電圧設定信号Ｖｃｐとベース期間中の短絡フィードバック電圧設定信号Ｖｃｂとを切り換えた短絡フィードバック電圧設定信号Ｓｗ２と溶接電圧瞬時値検出信号Ｖｄとを切り換えて、アーク長フィードバック電圧切換信号Ｓｗ３を出力するアーク長フィードバック電圧切換回路ＳＷ３と、
アーク長フィードバック電圧切換信号Ｓｗ３を入力して平滑したアーク電圧平均値信号Ｖｄａとアーク電圧設定信号Ｖｓとを比較した設定・検出電圧比較信号Ｃｍ２を入力して、次のピーク電流Ｉｐの通電を指令する周波数制御信号Ｖｆを出力する電圧・周波数変換回路ＶＦとを備え、
ピーク通電時間設定信号Ｔｐ及び周波数制御信号Ｖｆを入力して、パルス期間中の短絡フィードバック電圧設定信号Ｖｃｐとベース期間中の短絡フィードバック電圧設定信号Ｖｃｂとを切り換えるパルス周波数・幅制御信号Ｄｆを出力すると共に、このパルス周波数・幅制御信号Ｄｆが入力されている期間だけピーク電流値設定信号Ｉｐｓを通電し、パルス周波数・幅制御信号Ｄｆが停止されている期間はベース電流値設定信号Ｉｂｓを通電する溶接電流制御信号Ｃｍ１によって溶接電流Ｉｗを制御する溶接装置である。
【手続補正６】
【補正対象書類名】明細書
【補正対象項目名】００３７
【補正方法】変更
【補正の内容】
【００３７】
請求項１０の溶接装置は、溶接負荷電圧をフィードバックした溶接電流を通電して溶接する溶接装置において、溶接電圧瞬時値検出信号Ｖｄを入力してアーク・短絡検出信号Ｓｄを出力するアーク・短絡検出回路ＳＤと、
パルス期間中の短絡フィードバック電圧設定信号Ｖｃｐとベース期間中の短絡フィードバック電圧設定信号Ｖｃｂとを切り換えて、短絡フィードバック電圧設定信号Ｓｗ２を出力する短絡フィードバック電圧切換回路ＳＷ２と、
アーク・短絡検出信号Ｓｄによって、短絡フィードバック電圧設定信号Ｓｗ２と溶接電圧瞬時値検出信号Ｖｄとを切り換えて、アーク長フィードバック電圧切換信号Ｓｗ３を出力するアーク長フィードバック電圧切換回路ＳＷ３と、
アーク長フィードバック電圧切換信号Ｓｗ３を入力して平滑したアーク電圧平均値信号Ｖｄａとアーク電圧設定信号Ｖｓとを比較して設定・検出電圧比較信号Ｃｍ２を出力する設定・検出電圧比較回路ＣＭ２と、
設定・検出電圧比較信号Ｃｍ２を入力して、次のピーク電流Ｉｐの通電を指令する周波数制御信号Ｖｆを出力する電圧・周波数変換回路ＶＦと、
ピーク通電時間設定信号Ｔｐ及び周波数制御信号Ｖｆを入力して、前述したパルス期間中の短絡フィードバック電圧設定信号Ｖｃｐと前述したベース期間中の短絡フィードバック電圧設定信号Ｖｃｂとを切り換えるパルス周波数・幅制御信号Ｄｆを出力するパルス周波数・幅制御回路ＤＦと、
前述したパルス周波数・幅制御信号Ｄｆが入力されている期間だけピーク電流値設定信号Ｉｐｓを通電し、パルス周波数・幅制御信号Ｄｆが停止されている期間はベース電流値設定信号Ｉｂｓを通電するピーク・ベース電流値切換信号Ｓｗ１を出力するピーク・ベース電流値切換回路ＳＷ１と、
溶接電流Ｉｗを検出して溶接電流検出信号Ｉｄを出力する溶接電流検出回路ＩＤと、
前述した溶接電流検出信号Ｉｄと前述したピーク・ベース電流値切換信号Ｓｗ１とを比較して溶接電流制御信号Ｃｍ１を出力する設定・検出電流比較回路ＣＭ１とを備え、
前述した溶接電流制御信号Ｃｍ１によって溶接電流Ｉｗを制御する溶接装置である。